(57)【要約】【課題】無線ブロードキャスト配信方式を提供する。【解決手段】現在位置の位置情報を取得可能であると共に、無線電波を介してブロードキャスト配信（放送）されたコンテンツを再生可能な携帯端末と、コンテンツを所定の位置から無線電波を使用してブロードキャスト配信（放送）するコンテンツプロバイダと、コンテンツのブロードキャスト配信に関する情報の登録を受けると共に、携帯端末に対して登録されたブロードキャスト配信に関する情報を通知する管理センタとを設け、登録されるブロードキャスト配信に関する情報に、コンテンツプロバイダが無線電波を送信する位置情報と受信範囲と送信周波数（チャネル）を少なくとも含ませ、携帯端末は、管理センタから通知されたブロードキャスト配信に関する情報を用いて、再生可能なコンテンツを識別することとした。【選択図】図１
2010098341.tif 000002
【特許請求の範囲】
【請求項１】
現在位置の位置情報を取得可能であると共に、無線電波を介してブロードキャスト配信（放送）されたコンテンツを再生可能な携帯端末と、
コンテンツを所定の位置から無線電波を使用してブロードキャスト配信（放送）するコンテンツプロバイダと、
前記コンテンツのブロードキャスト配信に関する情報の登録を受けると共に、前記携帯端末に対して登録されたブロードキャスト配信に関する情報を通知する管理センタとを備え、
前記登録されるブロードキャスト配信に関する情報には、前記コンテンツプロバイダが無線電波を送信する位置情報と受信範囲と送信周波数（チャネル）とが含まれ、
前記携帯端末は、前記管理センタから通知されたブロードキャスト配信に関する情報を用いて、再生可能なコンテンツを識別する
ことを特徴とする無線ブロードキャスト配信方式。
【請求項２】
前記携帯端末は、現在位置の位置情報を取得し、通知されたブロードキャスト配信に関する情報に含まれる位置情報と比較し、再生可能なコンテンツを識別することを特徴とする請求項１記載の無線ブロードキャスト配信方式。
【請求項３】
前記携帯端末は、現在位置の位置情報と、通知されたブロードキャスト配信に関する情報に含まれる位置情報とから２点の距離を算出し、当該算出した距離を用いて、通知された受信範囲の範囲内であるか否かを判定し、再生可能なコンテンツを識別することを特徴とする請求項２記載の無線ブロードキャスト配信方式。
【請求項４】
前記携帯端末は、再生可能と識別したコンテンツが複数の場合に、識別したコンテンツ間で選択可能に送信周波数を切替えることを特徴とする請求項１ないし３の何れか一記載の無線ブロードキャスト配信方式。
【請求項５】
前記ブロードキャスト配信に関する情報には、放送時間が含まれ、
前記携帯端末は、通知されたブロードキャスト配信に関する情報の放送時間と、現在時刻から、再生可能なコンテンツを識別することを特徴とする請求項１ないし４の何れか一記載の無線ブロードキャスト配信方式。
【請求項６】
前記コンテンツプロバイダは、現在位置の位置情報を取得可能である可搬性を有する情報処理装置であり、
前記管理センタに対して、取得した位置情報に基づいて、ブロードキャスト配信に関する情報の位置情報を登録する
ことを特徴とする請求項１ないし５の何れか一記載の無線ブロードキャスト配信方式。
【請求項７】
前記コンテンツプロバイダが無線電波を介してブロードキャスト配信する放送形式は、ＦＭ放送方式、テレビ放送形式の何れか又はその組み合わせであることを特徴とする請求項１ないし６の何れか一記載の無線ブロードキャスト配信方式。
【請求項８】
前記携帯端末は、無線電波を介してブロードキャスト配信されたコンテンツを再生可能とする放送受信部を複数備えて成ることを特徴とする請求項１ないし７の何れか一記載の無線ブロードキャスト配信方式。
【請求項９】
請求項１ないし８の何れかに記載の無線ブロードキャスト配信方式で用いられる管理センタ。
【請求項１０】
コンテンツを、無線電波を使用してブロードキャスト配信（放送）するコンテンツプロバイダから、ブロードキャスト配信（放送）されたコンテンツを再生可能とする放送受信部と、
現在位置の位置情報を取得する位置情報特定部と、
前記コンテンツプロバイダによって無線電波が送信される位置情報と無線電波の受信範囲と送信周波数（チャネル）とが含まれるブロードキャスト配信に関する情報を取得して記憶保持するプロバイダ情報データベースとを備え、
前記プロバイダ情報データベースに記憶保持されたブロードキャスト配信に関する情報を用いて、再生可能なコンテンツを識別する
ことを特徴とする携帯端末。
【請求項１１】
位置情報特定部を用いて取得した現在位置の位置情報と、前記プロバイダ情報データベースに記録されている位置情報とから２点の距離を算出し、当該算出した距離を用いて、前記プロバイダ情報データベースに記録されている受信範囲の範囲内であるか否かを判定し、再生可能なコンテンツを識別することを特徴とする請求項１０記載の携帯端末。
【請求項１２】
再生可能と識別したコンテンツが複数の場合に、放送受信部を、識別した複数のコンテンツの送信周波数を用いて、再生するコンテンツを選択可能に制御することを特徴とする請求項１０又は１１に記載の携帯端末。
【請求項１３】
ブロードキャスト配信に関する情報として放送時間を取得して前記プロバイダ情報データベースに記憶保持し、
前記プロバイダ情報データベースに記憶保持された放送時間と、現在時刻から、再生可能なコンテンツを識別することを特徴とする請求項１０ないし１２の何れか一記載の携帯端末。
【請求項１４】
前記放送受信部を複数備えて成ることを特徴とする請求項１０ないし１３の何れか一記載の携帯端末。
【請求項１５】
現在位置の位置情報を取得可能であると共に、無線電波を介してブロードキャスト配信（放送）されたコンテンツを再生可能な携帯端末と、コンテンツを所定の位置から無線電波を使用してブロードキャスト配信（放送）するコンテンツプロバイダとを用い、
前記コンテンツプロバイダから無線電波を送信する位置情報と受信範囲と送信周波数（チャネル）とが少なくとも含まれるブロードキャスト配信に関する情報を所定のサーバに登録し、
前記所定のサーバから前記ブロードキャスト配信に関する情報を前記携帯端末に対して通知し、
前記所定のサーバから通知されたブロードキャスト配信に関する情報を用いて、前記携帯端末が再生可能なコンテンツを識別して再生する
ことを特徴とする無線ブロードキャスト配信方法。
【請求項１６】
前記携帯端末は、現在位置の位置情報を取得し、通知されたブロードキャスト配信に関する情報に含まれる位置情報と比較し、再生可能なコンテンツを識別することを特徴とする請求項１５記載の無線ブロードキャスト配信方法。
【請求項１７】
前記携帯端末は、現在位置の位置情報と、通知されたブロードキャスト配信に関する情報に含まれる位置情報とから２点の距離を算出し、当該算出した距離を用いて、通知された受信範囲の範囲内であるか否かを判定し、再生可能なコンテンツを識別することを特徴とする請求項１６記載の無線ブロードキャスト配信方法。
【請求項１８】
前記携帯端末は、再生可能と識別したコンテンツが複数の場合に、識別したコンテンツ間で選択可能に送信周波数を切替えることを特徴とする請求項１５ないし１７の何れか一記載の無線ブロードキャスト配信方法。
【請求項１９】
前記ブロードキャスト配信に関する情報に放送時間を付与し、
前記携帯端末は、通知されたブロードキャスト配信に関する情報の放送時間と、現在時刻から、再生可能なコンテンツを識別することを特徴とする請求項１５ないし１８の何れか一記載の無線ブロードキャスト配信方法。
【請求項２０】
前記コンテンツプロバイダは、現在位置の位置情報を取得可能である可搬性を有する情報処理装置であり、
前記管理センタに対して、取得した位置情報に基づいて、ブロードキャスト配信に関する情報の位置情報を登録する
ことを特徴とする請求項１５ないし１９の何れか一記載の無線ブロードキャスト配信方法。
【請求項２１】
前記コンテンツプロバイダが無線電波を介してブロードキャスト配信する放送形式は、ＦＭ放送方式、テレビ放送形式の何れか又はその組み合わせであることを特徴とする請求項１５ないし２０の何れか一記載の無線ブロードキャスト配信方法。
【請求項２２】
前記携帯端末は、無線電波を介してブロードキャスト配信されたコンテンツを再生可能とする放送受信部を複数備え、
前記再生可能と識別したコンテンツに適した放送受信部を用いて、コンテンツを再生する
ことを特徴とする請求項１５ないし２１の何れか一記載の無線ブロードキャスト配信方法。
【請求項２３】
前記所定のサーバへの前記ブロードキャスト配信に関する情報の登録と、前記所定のサーバからの前記ブロードキャスト配信に関する情報の通知は、電子メールを用いて行なうことを特徴とする請求項１５ないし２２の何れか一記載の無線ブロードキャスト配信方法。
【発明の詳細な説明】
【技術分野】
【０００１】
本発明は、無線電波を利用する無線ブロードキャスト（放送）方式に関する。詳しくは、位置情報を取得可能であると共に、無線電波を介してブロードキャスト配信（放送）されたコンテンツを再生可能な携帯端末に対して、コンテンツを提供する無線ブロードキャスト方式、無線ブロードキャスト方式に用いられる携帯端末、及び、無線ブロードキャスト方法に関する。
【背景技術】
【０００２】
昨今、携帯電話やＰＨＳ等の携帯端末に、無線網を介して、放送的に情報（コンテンツ）を配信する方法が提案されている。一例としては、３ＧＰＰにて規定されている特定の基地局のセル内に位置する携帯電話にメッセージやコンテンツを放送的に配信するセルブロードキャストサービス（ＣＢＳ）がある。
【０００３】
セルブロードキャストは、携帯端末の有する通信手段を用い、無線網を介して、サーバ（コンテンツプロバイダ）が常時ブロードキャスト配信している情報を、通信して取得することによって、放送と同様にコンテンツを取得可能としている。尚、セルブロードキャストは、通信である為、通信網の使用に係る費用が発生し、コンテンツプロバイダまたは受信者が負担している。当該費用が、セルブロードキャストの普及を妨げる一因となっている。
【０００４】
ところで、本願発明に関連する技術としては、特許文献１が挙げられる。特許文献１には、位置特定機能とＦＭトランスミッタ機能とを有する携帯電話が記載されている。また、前記携帯電話は、取得した位置情報と内包するデータベースに記録されている既知のＦＭ局の位置情報とを比較し、周辺に存在するＦＭ局の使用周波数と競合しない周波数でＦＭトランスミッタ機能を設定する。
【０００５】
また、無線電波を介してＦＭ放送やワンセグ放送等のコンテンツを再生可能な放送受信部（チューナ）を備えた携帯電話が市販されている。
【０００６】
【特許文献１】特開２００８−１０９４９６号公報
【発明の開示】
【発明が解決しようとする課題】
【０００７】
前述したように、限定された地域にてコンテンツの提供サービスを提供したいコンテンツ提供者は、セルブロードキャストサービスを利用したいものの、通信網の使用に係る費用の負担を問題として、導入に踏み切れない場合がある。この問題は、限定された地域でのコンテンツ配信サービスの設備費用のみならず、通信費用が発生するためである。また、サービスを無料としてコンテンツ配信を行なう場合に、前記費用を回収するビジネスモデルが構築できないことが問題となっている。
【０００８】
更に、限定された地域にてコンテンツの提供サービスを提供される場合に、サービスの提供されているエリアを識別することが、サービスを享受する使用者にとって負担となっている。
【０００９】
本発明は、上記問題に鑑みて成されたものであり、限定された地域に情報を提供するブロードキャスト放送を実現する無線ブロードキャスト配信方式の提供を目的とする。
【課題を解決するための手段】
【００１０】
本発明の無線ブロードキャスト配信方式は、現在位置の位置情報を取得可能であると共に、無線電波を介してブロードキャスト配信（放送）されたコンテンツを再生可能な携帯端末と、コンテンツを所定の位置から無線電波を使用してブロードキャスト配信（放送）するコンテンツプロバイダと、前記コンテンツのブロードキャスト配信に関する情報の登録を受けると共に、前記携帯端末に対して登録されたブロードキャスト配信に関する情報を通知する管理センタとを備え、前記登録されるブロードキャスト配信に関する情報には、前記コンテンツプロバイダが無線電波を送信する位置情報と受信範囲と送信周波数（チャネル）とが含まれ、前記携帯端末は、前記管理センタから通知されたブロードキャスト配信に関する情報を用いて、再生可能なコンテンツを識別することを特徴とする。
【００１１】
また、本発明の携帯端末は、コンテンツを、無線電波を使用してブロードキャスト配信（放送）するコンテンツプロバイダから、ブロードキャスト配信（放送）されたコンテンツを再生可能とする放送受信部と、現在位置の位置情報を取得する位置情報特定部と、前記コンテンツプロバイダによって無線電波が送信される位置情報と無線電波の受信範囲と送信周波数（チャネル）とが含まれるブロードキャスト配信に関する情報を取得して記憶保持するプロバイダ情報データベースとを備え、前記プロバイダ情報データベースに記憶保持されたブロードキャスト配信に関する情報を用いて、再生可能なコンテンツを識別することを特徴とする。
【００１２】
また、本発明の無線ブロードキャスト配信方法は、現在位置の位置情報を取得可能であると共に、無線電波を介してブロードキャスト配信（放送）されたコンテンツを再生可能な携帯端末と、コンテンツを所定の位置から無線電波を使用してブロードキャスト配信（放送）するコンテンツプロバイダを用い、前記コンテンツプロバイダから無線電波を送信する位置情報と受信範囲と送信周波数（チャネル）とが少なくとも含まれるブロードキャスト配信に関する情報を所定のサーバに登録し、前記所定のサーバから前記ブロードキャスト配信に関する情報を前記携帯端末に対して通知し、前記管理センタから通知されたブロードキャスト配信に関する情報を用いて、前記携帯端末が再生可能なコンテンツを識別して再生することを特徴とする。
【発明の効果】
【００１３】
本発明によれば、限定された地域に情報を提供するブロードキャスト配信（放送）を実現する無線ブロードキャスト配信方式を提供できる。
【発明を実施するための最良の形態】
【００１４】
本発明の実施の形態を図１ないし図６に基づいて説明する。
【００１５】
図１は、実施の形態の無線ブロードキャスト方式の構成例を示す概略図である。図１を参照すると、無線ブロードキャスト方式は、所定の位置から無線電波を使用してコンテンツをブロードキャスト配信（放送）する複数のコンテンツプロバイダ１００（１０１〜１０ｎ）と、無線ブロードキャスト放送を管理する管理センタ１１０と、無線ブロードキャスト放送を享受する携帯端末１２０（１２１〜１２ｎ）で構成される。
【００１６】
コンテンツプロバイダ１０１〜１０ｎは、夫々のコンテンツ配信したい位置（場所）に無線送信用の設備を設け、コンテンツをブロードキャスト配信（放送）する。また、夫々のコンテンツプロバイダは、ブロードキャスト配信に関する情報である登録情報を管理センタ１１０に通知する。尚、登録情報は、有線通信ネットワークを用いて通知しても良いし、無線ネットワークを用いて通知しても良い。また、例えば、管理センタ１１０内のサーバにアップロードするようにしても良いし、電子メールを使用して管理センタ１１０に通知しても良い。
【００１７】
ここで、管理センタ１１０に通知する登録情報は、位置情報（緯度経度）、受信範囲（半径ｍ又は直径ｍ）、送信周波数（放送周波数：チャネル）が含まれる。また、必要に応じて、コンテンツプロバイダ名称、放送（コンテンツ）内容概要、放送時間、放送方式を含めても良い。
【００１８】
管理センタ１１０は、コンテンツプロバイダ１００からブロードキャスト配信に関する情報である登録情報を受けると共に、携帯端末１２１〜１２ｎに対して登録されたブロードキャスト配信に関する情報をプロバイダ情報として通知する。管理センタ１１０は、コンテンツプロバイダ１００と携帯端末１２０と通信できればどのような構成を用いても良い。例えば、管理センタ１１０を、ＩＳＰがプロバイダ情報提供用メールサーバとして構築しても良いし、携帯電話等のキャリアがプロバイダ情報提供サービス用サーバとして設けても良い。また、インターネット上のＷｅｂサーバやＦＴＰサーバを利用しても実現できる。
【００１９】
携帯端末１２０（１２１〜１２ｎ）は、位置情報を取得可能であると共に、無線電波を介してブロードキャスト配信（放送）されたコンテンツを再生可能な携帯端末である。詳細は、図２を用いて詳説する。
【００２０】
図２は、無線ブロードキャスト方式を説明する機能ブロック図である。図２に示すように、本実施の形態のコンテンツプロバイダ１００は、コンテンツを送信するコンテンツ送信機２１２、ならびに、無線ブロードキャスト配信するコンテンツ２１１（データ）を含んで構成される。尚、配信するコンテンツは、通信ネットワークを介して取得するものでも良い。
【００２１】
携帯端末１２０は、端末の現在位置を取得する位置特定部２０１と、コンテンツプロバイダからの放送を受信する放送受信部２０２と、管理サーバ１１０から通知されたプロバイダ情報を記憶保持するプロバイダ情報データベース２０３と、プログラムに基づき各種演算および制御を行なう制御部２０４と、入力操作を受け付ける入力部２０５と、映像や音響等を出力する出力部２０６とから構成される。位置特定部２０１は、ＧＰＳ電波や無線通信ネットワークの基地局識別情報（番号）等を使用して端末の現在位置を取得する。尚、ＧＰＳ電波と基地局識別情報を合わせて位置情報を取得するように用いても良い。また、ＧＰＳ電波を利用する場合、当該電波から時刻情報を取得しても良い。放送受信部２０２は、放送を受信する受信機（チューナ）であり、必要に応じて複数備えても良い。また、放送方式毎に複数も受けても良い。尚、制御部２０４は、ＲＯＭやＲＡＭ等の記憶部（図示せず）に記憶されたプログラムによって、後述するように処理動作する。
【００２２】
管理センタ１１０は、一般的なサーバを用いて実現しても良いし、専用の情報処理装置として構成しても良い。ここでは、一般的なサーバを使用した構成例を説明する。管理センタ１１０は、コンテンツプロバイダ１００からの登録情報を受信する受信手段１１１と、携帯端末１２０にプロバイダ情報を通知する送信手段１１２と、ブロードキャスト配信に関する情報を記憶するプロバイダ情報管理データベース１１３を有して成る。管理センタ１１０の構成例としては、制御部、ＲＯＭ、ＲＡＭ、入力部、出力部、ネットワークインタフェースがバスで接続される。ＲＡＭには、オペレーティングシステムを始め、制御部を受信手段１１１や送信手段１１２、制御手段として機能させるプログラムや、プロバイダ情報管理データベース１１３など、様々なプログラムやデータが格納され、必要に応じて使用される。
【００２３】
尚、管理センタ１１０を、メールサーバを用いて実現した場合には、受信手段１１１および送信手段１１２は、電子メールの受信機能および送信機能を用いる。また、コンテンツプロバイダ１００から電子メールで送信されてきた登録情報を、プロバイダ情報管理データベース１１３に記録し、登録されたブロードキャスト配信に関する情報を、例えばメーリングリストのように、予めメールアドレスが登録されている携帯端末１２０に対して電子メール形式でプロバイダ情報として送信する。尚、登録情報は、コンテンツプロバイダ１００以外から登録しても良い。例えば、一般のパーソナルコンピュータを用いて管理センタ１１０に登録しても良い。
【００２４】
ここで、プロバイダ情報管理データベース１１３とプロバイダ情報データベース２０３に記録保持される情報を例示して説明する。
【００２５】
図３は、プロバイダ情報管理データベース１１３を可視的に例示する説明図である。プロバイダ情報管理データベース１１３には、図３に示すように、登録情報として登録されたＩＤ、コンテンツプロバイダ名称、位置情報（緯度経度）、受信範囲（半径ｍ）、送信周波数、放送（コンテンツ）内容概要、放送時間が含まれている。
【００２６】
ＩＤは、コンテンツプロバイダを一意に指し示すＩＤである。  
コンテンツプロバイダ名称は、ＩＤが割当てられたコンテンツプロバイダの名称であり、携帯端末１２０の表示に使用したりする。  
位置情報は、コンテンツプロバイダが無線電波を送信する位置を示す情報である。本例では、緯度経度を示して位置を示す。  
受信範囲は、コンテンツプロバイダが無線電波を送信して、コンテンツのブロードキャスト配信を教授可能であろう受信範囲を示す情報である。受信範囲は、半径であっても直径であっても構わない。また、アンテナの形状や種類による受信範囲の変化を登録してもよい。例えば、ロッドアンテナを使用する場合には円形の受信範囲となるのに対し、平面アンテナやパラボナは指向性を有する為、受信範囲の形状が変化する。また、コンテンツを送信する位置によっても、地形等の影響を受ける。当該アンテナ等の影響を考慮して、登録時に受信範囲を設定する。尚、使用する設備を選択させることで、当該受信範囲の情報を設定しても良い。
【００２７】
送信周波数は、チャネルや周波数帯域を示す情報である。また、必要に応じて、放送方式（送信方式）に関する情報を付加しても良い。  
コンテンツプロバイダ名称は、ＩＤが割当てられたコンテンツプロバイダの名称であり、携帯端末１２０の表示に使用したりする。  
放送時間は、コンテンツプロバイダがコンテンツを提供する時間帯を示す情報である。
【００２８】
図４は、プロバイダ情報データベース２０３を可視的に例示する説明図である。プロバイダ情報データベース２０３には、図４に示すように、プロバイダ情報として登録されたＩＤ、コンテンツプロバイダ名称、位置情報（緯度経度）、受信範囲（半径ｍ）、送信周波数、放送（コンテンツ）内容概要、放送時間、プロバイダのコンテンツが再生可能かを示す受信可能フラグが含まれている。
【００２９】
受信可能フラグは、プロバイダ情報データベース２０３に記録されている情報と、携帯端末の取得する情報に基づいてコンテンツが受信可能か否かを示す情報である。詳しくは、動作の説明と共に詳説する。尚、他の情報は、プロバイダ情報管理データベース１１３に記録される同一名の情報と同様の内容を示す。
【００３０】
次に、本発明の実施の形態の動作について図５ないし図６を用いて説明する。本説明では、コンテンツプロバイダ１００からブロードキャスト配信に関する情報である登録情報が管理センタ１１０に登録され、当該登録された情報を管理センタ１１０からプロバイダ情報として携帯端末１２０に通知し、通知された情報に基づく携帯端末１２０の動作を示す。
【００３１】
図５は、実施の形態の形態端末１２０のプロバイダ検索動作例を示すフローチャートである。図５では、形態端末１２０が取得済みのプロバイダ情報を用い、再生可能なプロバイダ（コンテンツ）を検索する処理動作を示す。
【００３２】
制御部２０４は、位置特定部２０１から携帯端末１００の位置情報(緯度経度)を取得する（ステップＳ４１１）。  
制御部２０４は、プロバイダ情報データベース２０３に登録されたブロードキャスト配信に関する情報である全てのプロバイダ情報を携帯端末１２０の位置情報と比較し、全てのプロバイダの比較が終了していれば処理を終了する（ステップＳ４１２）。  
プロバイダの比較が終わってなければ（Ｓ４１２のＮｏ）、制御部２０４は、プロバイダ情報データベース２０３から次に比較するプロバイダのプロバイダ情報を取得する（ステップＳ４１３）。  
制御部２０４は、登録されているプロバイダの位置情報と携帯端末１００の現在の位置情報から２点間の距離を算出する（ステップＳ４１４）。  
制御部２０４は、算出した距離とプロバイダ情報データベース２０３に登録されている受信範囲とから、受信範囲以内か否かを確認する（ステップＳ４１５）。  
受信範囲内（Ｓ４０５のＹｅｓ）であれば、プロバイダ情報データベース２０３の再生可能フラグを『可能』に設定し、Ｓ４０２に戻る（ステップＳ４１６）。  
受信範囲外（Ｓ４０５のＮｏ）であれば、再生可能フラグを『不可』にし、Ｓ４０２に戻る（ステップＳ４１７）。
【００３３】
次に、形態端末１２０が再生可能フラグを用い、再生可能なプロバイダ（コンテンツ）を再生する処理動作を示す。
【００３４】
図６は、実施の形態の形態端末１２０のコンテンツの再生動作を示すフローチャートである。  
制御部２０４は、プロバイダ情報データベース２０３に登録された情報のうち再生可能フラグが『可能』に設定されているプロバイダ名称を出力部２０６から出力する（ステップＳ４２１）。尚、プロバイダ名称と共に、コンテンツの概要を表示しても良い。  
ユーザが出力部２０６に出力された情報を元に、希望のコンテンツプロバイダを、入力部２０５のカーソル操作やキー操作で選択する。このとき、制御部４０２は、選択されたプロバイダを識別する（ステップＳ４２２）。  
制御部２０４は、プロバイダ情報データベース２０３から識別したプロバイダの送信周波数（チャネル）を受信周波数（チャネル）として取得する（ステップＳ４２３）。  
制御部２０４は、受信周波数に、放送受信部２０２を合わせる（ステップＳ４２４）。
制御部２０４は、放送受信部２０２からコンテンツを取得する（ステップＳ４２５）。尚、直接放送受信部２０２が制御部４０２を介さずにコンテンツを再生処理可能な機能を有する場合は、制御部２０２を介さずにコンテンツを再生処理しても良い。  
その後、制御部２０４は、ユーザの受信終了（停止処理）等を識別した場合に、処理を終了する（ステップＳ４２６）。
【００３５】
尚、必要に応じて、再生可能なコンテンツ（再生可能フラグが『可能』のコンテンツプロバイダ）を、テレビのチャンネルを切替えるように、切替可能にしても良い。この場合は、ユーザからの切替える操作を識別した場合に、プロバイダ情報データベース２０３を参照して、別の再生可能フラグが可能のコンテンツを識別し、Ｓ４２３以降の処理動作を行なえばよい。
【００３６】
また、形態端末が複数の放送受信部を有する場合には、放送受信部も放送周波数と共に切替えるように動作させても良い。また、再生可能と識別したコンテンツが複数ある場合に、放送受信部を、識別した複数のコンテンツの送信周波数を用いて、再生するコンテンツを選択的に再生するように制御しても良い。このように動作させることによって、例えば、デジタルテレビ放送とＦＭ放送の両方の限定された地域で送信されているブロードキャスト配信（放送）を、シームレスに切替えることが可能になる。
【００３７】
また、ブロードキャスト配信に関する情報に含まれる放送時間を使用し、携帯端末１２０は、プロバイダ情報に記録されている放送時間と、ＲＴＣやＧＰＳなどから取得した現在時刻とを比較し、放送時間内であれば、再生可能フラグを設定するようにしても良い。このようにすれば、コンテンツプロバイダが停止中（停波中）の時間に、当該コンテンツを選択することを避けることができる。
【００３８】
上記事柄を換言すれば、現在位置の位置情報を取得可能であると共に、無線電波を介してブロードキャスト配信（放送）されたコンテンツを再生可能な携帯端末１２０と、コンテンツを所定の位置から無線電波を使用してブロードキャスト配信（放送）するコンテンツプロバイダ１００とを用いて、コンテンツプロバイダ１００から無線電波を送信する位置情報と受信範囲と送信周波数（チャネル）とが少なくとも含まれるブロードキャスト配信に関する情報を所定のサーバである管理センタ１１０に登録して、ブロードキャスト配信に関する情報を携帯端末１２０に対して通知することで、携帯端末１２０が管理センタ１１０から通知されたブロードキャスト配信に関する情報を用いて、再生可能なコンテンツを識別して再生可能にできる。即ち、擬似的に通信コストのかからないセルブロードキャストサービスを実現できる。
【００３９】
このとき、携帯端末１２０は、現在位置の位置情報を取得して、通知されたブロードキャスト配信に関する情報に含まれる位置情報と比較し、再生可能なコンテンツを識別するように、動作させればよい。一例としては、携帯端末１２０は、現在位置の位置情報と、通知されたブロードキャスト配信に関する情報に含まれる位置情報とから２点の距離を算出し、当該算出した距離を用いて、通知された受信範囲の範囲内であるか否かを判定し、再生可能なコンテンツを識別すればよい。
【００４０】
また、携帯端末１２０は、再生可能と識別したコンテンツが複数ある場合に、識別したコンテンツ間で選択的に送信周波数を切替えることで、再生可能なコンテンツを適切に再生できる。このとき、ブロードキャスト配信に関する情報に含まれる放送時間を用いれば、更に良く再生可能なコンテンツを識別できる。
【００４１】
また、携帯端末１２０が放送受信部を複数備えた場合には、再生可能と識別したコンテンツに適した放送受信部を適時用いて、コンテンツを再生するようにしても良い。
【００４２】
尚、管理センタ１１０のブロードキャスト配信に関する情報の登録や通知は、電子メールを用いて行なうことで、プロバイダ側、ユーザ側がお互いの電子メールアドレスを公開せずにすむことにより、個人情報の保護が可能になり、無線ブロードキャスト配信の導入および利用に追風となる。
【００４３】
以上説明したように、本実施の形態によれば、コンテンツの送信について放送電波を利用しているため、通信に関する費用を無くすることが可能になる。
【００４４】
また、コンテンツプロバイダの設備投資を最小化できる。特に、ＦＭ電波を使用する場合には、ミニＦＭ局（コミュニティーＦＭ局）の送信機を利用可能であり、安価で設備調達が可能となる。また、微弱な電波を用いる無線局とした場合には、電波法上の開局のための申請が不要なため申請コストもゼロにできる。
【００４５】
次に、本発明の第２の本発明の実施の形態ついて図７を用いて説明する。
【００４６】
第２の実施の形態では、第１の実施の形態のコンテンツプロバイダ１００を、放送送信機を有する可搬性端末を用いて実現する。尚、同一の構成には同一の番号を付し、説明を省略する。また、各部の動作は、第１の実施の形態と同様に動作させれば良いので、説明を省略する。
【００４７】
図７は、第２の実施の形態における無線ブロードキャスト方式を説明する機能ブロック図である。  
第２の実施の形態は、コンテンツプロバイダ側に、放送送信機５０１を搭載する可搬性端末５００を使用し、コンテンツ５０３をブロードキャスト配信可能にした形態である。即ち、可搬性端末５００は、ブロードキャスト配信に関する情報である登録情報を管理センタ１１０に通知すると共に、格納するコンテンツ２１１を所定の位置から無線電波を使用してブロードキャスト配信する。尚、放送送信機２１２は、可搬性端末５００に外部接続して用いるものを使用しても良い。また、通信線を介してコンテンツを取得しても良い。可搬性端末５００は、例えば、ＦＭトランスミッタを搭載した携帯電話やＰＨＳ、モバイル情報処理装置等が挙げられる。また、車載された端末などが挙げられる。また、局所的にテレビ放送を送信する無線端末（装置）であっても良い。
【００４８】
第１の実施の形態の場合、コンテンツプロバイダは、例えばパーソナルコンピュータの地図ソフトを利用して、プロバイダの位置情報を調査して登録する必要がある。そこで、本実施の形態では、可搬性端末５００の内蔵する位置特定部５０１を用い、コンテンツプロバイダとしてブロードキャスト配信を行なう位置（地点）の位置情報を取得し、管理サーバ１１０に登録情報の一部として通知する。
【００４９】
尚、可搬性端末に搭載された放送送信機を用いので、ブロードキャスト配信（放送）する所定の位置毎に必要と成る設備投資も不要となる。
【００５０】
また、可搬性端末の有する通信機能（図示せず）やメール送信機能（図示せず）を用いれば、容易に管理センタ１１０に登録情報を通知できる。
【００５１】
このように本実施の形態によれば、可搬性を有するコンテンツプロバイダを利便性良く運用可能となる。例えば、限られた日時に限られた場所でのみ運営されるコンテンツプロバイダに好適である。
【００５２】
以上説明したように本発明によれば、限定された地域に情報を提供するブロードキャスト放送を実現する無線ブロードキャスト配信方式を提供できる。
【００５３】
また、本発明の具体的な構成は前述の実施の形態に限られるものではなく、この発明の要旨を逸脱しない範囲の変更があってもこの発明に含まれる。
【産業上の利用可能性】
【００５４】
本発明によれば、擬似的なセルブロードキャストを課金コスト無しで実現する無線ブロードキャスト方式に使用できる。また、コンテンツプロバイダの設備としてミニＦＭ放送局やミニ・デジタルＴＶ放送局を利用して、擬似的なセルブロードキャストサービスを実現できる。
【図面の簡単な説明】
【００５５】
【図１】実施の形態の無線ブロードキャスト方式の構成例を示す概略図である。
【図２】無線ブロードキャスト方式を説明する機能ブロック図である。
【図３】プロバイダ情報管理データベースを可視的に例示する説明図である。
【図４】プロバイダ情報データベースを可視的に例示する説明図である。
【図５】実施の形態の形態端末のプロバイダ検索動作を示すフローチャートである。
【図６】実施の形態の形態端末のコンテンツ再生動作を示すフローチャートである。
【図７】第２の実施の形態における無線ブロードキャスト方式を説明する機能ブロック図である。
【符号の説明】
【００５６】
１００  コンテンツプロバイダ
１１０  管理センタ
１１１  受信手段
１１２  送信手段
１１３  プロバイダ情報管理データベース
１２０  携帯端末
２０１  位置特定部
２０２  放送受信部
２０３  プロバイダ情報データベース
２０４  制御部
２０５  入力部
２０６  出力部
２１１  コンテンツ
２１２  コンテンツ送信機
５００  可搬性端末
５０１  位置特定部
５０４  制御部
【図１】
2010098341.tif 000003
【図２】
2010098341.tif 000004
【図３】
2010098341.tif 000005
【図４】
2010098341.tif 000006
【図５】
2010098341.tif 000007
【図６】
2010098341.tif 000008
【図７】
2010098341.tif 000009